(57)【要約】      （修正有）【課題】サッカーシューズの如何なる部位においてサッカーボールに対するタッチ及びキックを行うかの選択判断を可能とするようなサッカーシューズの構成を提供すること。【解決手段】サッカーシューズ１の全領域又は一部領域において、当該サッカーシューズ１を着用したプレーヤーがサッカーボールをタッチし、かつキックする各位置を区分する区分領域２１を表示するか、又はタッチし、かつキックするための目安となる各位置に、マークを表示することによって、適切な位置において、サッカーボールに対するタッチ及びキックを行うことを可能とするサッカーシューズ１。【選択図】図１
2009131289.tif 000002
【特許請求の範囲】
【請求項１】
サッカーシューズの全領域又は一部領域において、当該サッカーシューズを着用したプレーヤーがサッカーボールをタッチし、かつキックする各位置が所属する区分領域を表示したことに基づくサッカーシューズ。
【請求項２】
区分領域がカラーによって区分されているか、各領域毎に同一又は異なるカラーによる数値、若しくは文字、若しくは他の識別符合を囲んだ状態にある境界ラインによって区分されていることを特徴とする請求項１記載のサッカーシューズ。
【請求項３】
サッカーシューズの全領域又は一部領域において、当該サッカーシューズを着用したプレーヤーがサッカーボールをタッチし、かつキックするための目安となる各位置に、マークを表示したことに基づくサッカーシューズ。
【請求項４】
マークとして、同一若しくは異なるカラーによる数値、又は文字、又は図形の何れかを採用することを特徴とする請求項３記載のサッカーシューズ。
【発明の詳細な説明】
【技術分野】
【０００１】
本発明は、サッカーボール（以下「ボール」と略称する。）をタッチし、かつキックするために使用するサッカーシューズに関するものである。
【背景技術】
【０００２】
プレーヤーがサッカーシューズを着用したうえで、ボールをキックする（蹴る）場合において、ボールのスピード、回転の程度、及び方向をどのように設定するかは、ボールにおけるキックの対象となる位置、キックする脚部の移動方向、キックに伴う衝撃力だけでなく、サッカーシューズにおいてキックする位置によっても左右される。
【０００３】
したがって、ボールをキックする場合には、ボールの如何なる位置を選択し、かつキックする足の方向、キックに伴う衝撃の程度を選択するだけでなく、サッカーシューズの如何なる位置においてタッチ及びキックするかもまた重要な選択判断の対象となる。
【０００４】
従来、サッカーの練習においては、前２者については色々と詳細な指導が行われているが、サッカーシューズの如何なる部位においてタッチ及びキックするかについては、精々上側、左横、右横、底、後側などという大まかな区分けによる指導が行われているに過ぎない。
【０００５】
その原因としては、従来のサッカーシューズにおいては、サッカーの上達のために如何なる位置においてタッチ及びキックするかを選択し、かつ判断を行うことを可能とするような構成が採用されていないことが根本原因となっている。
【０００６】
因みに、特許文献１は、ボールをキックした際、ボールの回転及びカーブを増加するため、サッカーシューズの上部に複数の突起を設け、サッカーの上達に寄与し得る構成を提供しているが、当該構成の場合には、サッカーシューズの上部の突起においてタッチ及びキックを行うことが前提となっているに過ぎない。
【０００７】
他方、特許文献２は、サッカーシューズの特定の位置に圧力応答検出要素を設け、検出された圧力に応じてボールに対するキックの程度を調整することを可能とする構成を提供しているが、当該構成の場合には、圧力応答検出要素を設けた部位においてのみタッチ及びキックを行うことが前提となっているに過ぎない。
【０００８】
【特許文献１】特表２００４−５２０１１３号公報。
【特許文献２】特表２００５−５０７６７８号公報。
【発明の開示】
【発明が解決しようとする課題】
【０００９】
本発明は、サッカーシューズの如何なる部位においてボールに対するタッチ及びキックを行うかの選択判断を可能とするようなサッカーシューズの構成を提供することを課題としている。
【課題を解決するための手段】
【００１０】
上記課題を解決するため、本発明の基本構成は、
（１）サッカーシューズの全領域又は一部領域において、当該サッカーシューズを着用したプレーヤーがサッカーボールをタッチし、かつキックする各位置が所属する区分領域を表示したことに基づくサッカーシューズ、
（２）サッカーシューズの全領域又は一部領域において、当該サッカーシューズを着用したプレーヤーがボールをタッチし、かつキックするための目安となる各位置に、マークを表示したことに基づくサッカーシューズ、
からなる。
【発明の効果】
【００１１】
前記（１）及び（２）の基本構成に基づいて、サッカーシューズを着用したプレーヤーは、所定の位置に到来して来るボールに対し、サッカーシューズの如何なる位置においてタッチ及びキックを行うかについて、指導者からの指導を受けながら、又は自主的に適切な選択判断しながら、タッチ及びキックを行うことが可能となり、このような選択判断を蓄積し、ボールに対して、キックする脚部の移動方向、キックを行う衝撃力と相俟ってサッカーシューズの各区分領域（前記（１）の構成の場合）又は目安となるマーク又はその近傍（前記（２）の構成の場合）の基準について、自らの経験を蓄積することによって、効率的にタッチ及びキックのトレーニングを実現し、ひいてはキックを中心として、サッカー技術を上達することも不可能ではない。
【発明を実施するための最良の形態】
【００１２】
前記（１）、（２）の基本構成からも明らかなように、本発明においては、サッカーシューズ１の全領域又は一部領域において区分領域又はマークを表示することを構成要件としている。
【００１３】
図１は、前記（１）の基本構成に対応しており、区分領域２１がカラーによって区分されているか、各領域毎に数値、若しくは文字、若しくは他の識別符合を囲んだ状態にある境界ラインによって区分されていることを特徴とする実施形態を示している。
【００１４】
即ち、図１においては、各境界ラインによって区分された各領域に、Ａ、Ｂ、Ｃ、Ｄ…の表示が行われているが、当該表示は、少なくとも隣接し合う領域において相互に異なるカラー、数字、文字又は他の識別符合を表しており（単に「Ａ」、「Ｂ」、「Ｃ」、「Ｄ」…というアルファベット文字自体のみを表す訳ではない。）、このような表示を伴う区分領域２１を設けることによって、プレーヤーは、所定位置に到来して来たボールに対し、サッカーシューズ１のうちのタッチ及びキックを行う位置を区分領域２１に従って適宜選択判断したうえで、キックを行う脚部の方向、更にはキックに伴う衝撃力の選択判断と相俟って、適切なキックを行うことができる。
【００１５】
しかも、前記選択判断は、指導者から区画の位置を特定してタッチ及びキックを行うための指令の伝達（例えば、左側側部の赤色部分をキックせよという指令の伝達）に対応して、プレーヤーが行う場合、更には前記指導者による指令の伝達を伴わずに、プレーヤーが意識的に自主トレーニングとして行う場合の何れのトレーニングも実現可能である。
【００１６】
区分領域２１の設定基準は、確一的ではなく、プレーヤーの技術レベルに応じて相違するが、初心者の場合には区分領域２１の数は少なく、かつ区分の仕方も単純であるのに対し、上達者の場合には区分の数が多くなり、しかも区分領域２１の形状もまた複雑となる。
【００１７】
サッカーシューズ１のメーカーにおいては、各プレーヤーの技術レベルの段階において、好ましい区分領域２１の設定について多くのプレーヤーから経験による好ましい区分の基準に関するデータにつき統計処理を行ったうえで、標準的かつ合理的な区分領域２１を設定すると良い。
【００１８】
図１に示す前記（１）の実施形態において、カラーによって区分を行う場合には、各カラーの隣接部分が境界となるため、境界ラインは不要であるが、カラー表示を採用しない場合には、数字、文字、その他の識別符合を囲む境界ラインを通常設定している。
【００１９】
前記カラー及び識別符合は、全て異なるような実施形態、又はサッカーシューズ１の左側面部、右側面部、後面部、底面部においてそれぞれ異なるように設定するも、これらの各面部が相違している場合には、同一のカラー表示又は識別符合が実現し得るような実施形態の何れをも採用可能である。
【００２０】
図２は前記（２）の基本構成に対応しており、マーク２２として、数値、又は文字、又は図形の何れかを採用することを特徴とする実施形態を示している。
【００２１】
即ち、図２において、ａ、ｂ、ｃ、…によって表示されている位置は、前記（２）の基本構成のマーク２２であって、数値、又は文字、又は他の識別符合（例えば図形など）の何れかを表しており（単に「ａ」、「ｂ」、「ｃ」、「ｄ」…というアルファベット文字自体のみを表す訳ではない。）、プレーヤーはこのようなマーク２２を設けることによって所定の位置に到来したボールに対し、サッカーシューズ１のうちのタッチ及びキックを行う位置を、前記各マーク２２又はその近傍の位置に従って適宜選択判断したうえで、キックを行う脚部の方向、更にはキックに伴う衝撃力の選択判断と相俟って、適切なキックを行うことができる。
【００２２】
前記選択判断は、指導者の指令の伝達を伴う場合のトレーニング及び自主的トレーニングの何れをも実現可能である点は、前記（１）の基本構成の場合と同様である。
但し、前記（２）の基本構成の場合において、指導者の指令の伝達を伴わずに単なる自主的トレーニングのみを行う場合には、マーク２２が単一の表示（例えば○印、×印など）であっても、プレーヤーが自主的に各マーク２２の位置を選択判断できるならば、そのような単一マーク２２の場合も、前記（２）の基本構成の実施形態に該当する。
【００２３】
前記（２）の基本構成における各マーク２２の位置は、前記（１）の基本構成における各区分領域２１の中心位置に概略一致している。
【００２４】
したがって、各マーク２２の設定基準についても、前記（１）の区分領域２１の場合と同様、プレーヤーの技術レベルに応じて相違すると共に、各メーカーにおいては、各技術レベルの段階にあるプレーヤーの経験による好ましいマーク２２の位置に関するデータにつき、統計処理を行ったうえで、標準的かつ合理的なマーク２２の位置を設定すると良い。
【００２５】
マーク２２を表す、数値、文字、図形などの識別符合は、全て相互に異なる実施形態、及び左側面部、右側面部、後面部、底面部の各面部において異なるも、異なる面部との間では同一の識別符合が存在し得るような実施形態の何れをも採用することが可能である。
【００２６】
前記（１）、（２）の構成においては、それぞれ区分領域２１又はマーク２２をサッカーシューズ１の全領域又は少なくとも一部領域に表示しているが、一部領域の場合に底部のみに表示する方式は通常採用されていない（底部は最も目につき難い部位であり、当該部位のみに表示を行うことは、本発明の目的効果を達するうえで非効率的だから。）。
【００２７】
前記（１）の基本構成における区分領域２１、前記（２）の基本構成におけるマーク２２は、所定のデザイン性を発揮することがあり、この点においては、従来技術のサッカーシューズ１と共通している。
しかしながら、本願発明の区分領域２１及びマーク２２によるデザインは、あくまでサッカーボールに対するタッチ及びキックの部位の位置の選択判断の行い易さを基準としており、従来技術の場合のような美的感情の惹起を基準としている訳ではない以上、自ずと従来技術によるデザインと相違している（例えば、従来技術のデザインの場合には、当該デザインを表す部位が局所的に集中しているのに対し、本発明の区分領域２１又はマーク２２によるデザインは、全領域又は一部領域において集中せずに分布している点において明らかに相違している。）。
【００２８】
以下実施例に従って説明する。
【実施例１】
【００２９】
実施例１においては、図３に示すように、前記（１）の構成において、区分領域２１が境界ラインに囲まれた識別符合によって区分すると共に、各区分領域２１における数字、又は文字、又は他の識別符合について、それぞれ異なるカラーによって設定していることを特徴としている（図３は、Ａ、Ｂ、Ｃ、Ｄ…による識別符合をそれぞれ「黒」、「赤」などのカラーによって表示されることを示している。）。
【００３０】
このような文字又は数字による識別符合を異なるカラーとすることによって、プレーヤー及び指導者は、カラーによる峻別のみならず前記の如き識別符合による峻別の双方に基づいて選択判断を行うことが可能となり、極めて好都合である。
尚、カラーと識別符合の組み合わせとしてサッカーシューズ１の全領域又は同一の面部の領域において、同一のカラーによる区分領域２１を採用しながら異なる符合を表示するような実施例（但し、同一のカラーによる区分領域２１は、相互に隣接しないように表示する。）も採用可能であり、この場合においても、図３に示す実施例１と同様の効果を発揮することが可能となる。
【実施例２】
【００３１】
実施例２においては、前記（２）の構成において図４に示すように、各マーク２２の位置を異なるカラーによる数字又は文字、又は図形によって設定していることを特徴としている（図４は、ａ、ｂ、ｃ、ｄ…による識別符合をそれぞれ「黒」、「赤」などのカラーによって表示されることを示している。）。
【００３２】
このような実施例２においては、プレーヤー及び指導者は各マーク２２又はその近傍の位置をカラーによる峻別のみならず、数字又は文字、又は図形などの他の識別符合による峻別の双方に基づいて選択判断を行うことが可能となり、極めて便利である。
【実施例３】
【００３３】
実施例３は、前記（１）、（２）の基本構成の組み合わせであって、図５に示すように、各区分領域２１の各中心位置にポイントとなる記号を表示していることを特徴としている（図５は、マーク２２として○印による単一の表示を採用したうえで、当該マーク２２について「黒」、「赤」などの種々のカラー表示を示している。）。
【００３４】
このような実施例３の構成においては、ユーザーは各区分領域２１に基づく選択判断だけでなく、各マーク２２及びその近傍に基づく選択判断をも行うことが可能となり、極めて便利である。
【産業上の利用可能性】
【００３５】
本願発明は、主として練習用のサッカーシューズに利用可能であるが、試合用のサッカーシューズにおいても、日頃の練習成果を踏まえたうえで利用可能である以上、練習用及び試合用の双方のサッカーシューズの製造分野においても適用可能である。
【図面の簡単な説明】
【００３６】
【図１】前記（１）の基本構成の実施形態を示しており、（ａ）は左側面部、（ｂ）は右側面部、（ｃ）は上面部、（ｄ）は後面部、（ｅ）は底面部にそれぞれ対応している。
【図２】前記（２）の基本構成の実施形態を示しており、（ａ）は左側面部、（ｂ）は右側面部、（ｃ）は上面部、（ｄ）は後面部、（ｅ）は底面部にそれぞれ対応している。
【図３】実施例１の構成を示しており、特に左側面部を例示している。
【図４】実施例２の構成を示しており、特に左側面部を例示している。
【図５】実施例３の構成を示しており、特に左側面部を例示している。
【符号の説明】
【００３７】
１  サッカーシューズ
２１  区分領域
２２  マーク
【図１】
2009131289.tif 000003
【図２】
2009131289.tif 000004
【図３】
2009131289.tif 000005
【図４】
2009131289.tif 000006
【図５】
2009131289.tif 000007
【手続補正書】
【提出日】平成18年4月5日(2006.4.5)
【手続補正１】
【補正対象書類名】特許請求の範囲
【補正対象項目名】全文
【補正方法】変更
【補正の内容】
【特許請求の範囲】
【請求項１】
サッカーシューズの全領域又は一部領域において、当該サッカーシューズを着用したプレーヤーがサッカーボールをタッチし、かつキックする各位置が所属する区分領域を表示したことに基づくサッカーシューズ。
【請求項２】
区分領域がカラーによって区分されているか、各領域毎に同一又は異なるカラーによる数値、若しくは文字、若しくは他の識別符合を囲んだ状態にある境界ラインによって区分されていることを特徴とする請求項１記載のサッカーシューズ。
【請求項３】
サッカーシューズの略前後方向（指先の位置と踵部の位置との間の方向）のライン及び当該ラインと交錯し得る略左右方向のラインによって区分領域が形成されることを特徴とする請求項１記載のサッカーシューズ。
【請求項４】
サッカーシューズの全領域又は一部領域において、当該サッカーシューズを着用したプレーヤーがサッカーボールをタッチし、かつキックするための目安となる各位置に、マークを表示したことに基づくサッカーシューズ。
【請求項５】
マークとして、同一若しくは異なるカラーによる数値、又は文字、又は図形の何れかを採用することを特徴とする請求項４記載のサッカーシューズ。
【請求項６】
サッカーシューズの前後方向（指先の位置と踵部の位置との間の方向）、及び当該方向と交錯し得る略左右方向に沿った分布状態にてマークが表示されていることを特徴とする請求項４記載のサッカーシューズ。
【手続補正２】
【補正対象書類名】明細書
【補正対象項目名】００１７
【補正方法】変更
【補正の内容】
【００１７】 図１の実施形態においては、サッカーシューズの略前後方向（指先の位置と踵部の位置との間の方向）のライン及び当該ラインと交錯し得る略左右方向のラインによって区分領域が形成されているが、区分領域２１を設定する一般的基準としては、図１の表示に限定される訳ではなく、サッカーシューズ１のメーカーにおいて、各プレーヤーの技術レベルの段階において、好ましい区分領域２１の設定について多くのプレーヤーから経験による好ましい区分の基準に関するデータにつき統計処理を行ったうえで、標準的かつ合理的な区分領域２１を設定すると良い。
【手続補正３】
【補正対象書類名】明細書
【補正対象項目名】００２４
【補正方法】変更
【補正の内容】
【００２４】 図２においては、サッカーシューズ１の前後方向（指先の位置と踵部の位置との間の方向）、及び当該方向と交錯し得る略左右方向に沿った分布状態にてマーク２２が表示しているが、マーク２２を設定する一般的基準としては、図２の表示に限定される訳ではなく、前記（１）の区分領域２１の場合と同様、プレーヤーの技術レベルに応じて相違すると共に、各メーカーにおいては、各技術レベルの段階にあるプレーヤーの経験による好ましいマーク２２の位置に関するデータにつき、統計処理を行ったうえで、標準的かつ合理的なマーク２２の位置を設定すると良い。
【手続補正４】
【補正対象書類名】明細書
【補正対象項目名】００３０
【補正方法】変更
【補正の内容】
【００３０】  このような文字又は数字による識別符合を異なるカラーとすることによって、プレーヤー及び指導者は、カラーによる峻別のみならず前記の如き識別符合による峻別の双方に基づいて選択判断を行うことが可能となり、極めて好都合である。  尚、カラーと識別符合の組み合わせとしてサッカーシューズ１の全領域又は同一の面部の領域において、同一のカラーによる区分領域２１を採用しながら異なる符合を表示するような実施例（但し、同一のカラーによる区分領域２１は、相互に隣接しないように表示する。）も採用可能であり、この場合においても、図３に示す実施例１と同様の効果を発揮することが可能となる。 尚、図３においては図１の場合と同様に、サッカーシューズ１の略前後方向（指先の位置と踵部の位置との間の方向）のライン及び当該ラインと交錯し得る略左右方向のラインによって区分領域２１が形成されている。
【手続補正５】
【補正対象書類名】明細書
【補正対象項目名】００３２
【補正方法】変更
【補正の内容】
【００３２】  このような実施例２においては、プレーヤー及び指導者は各マーク２２又はその近傍の位置をカラーによる峻別のみならず、数字又は文字、又は図形などの他の識別符合による峻別の双方に基づいて選択判断を行うことが可能となり、極めて便利である。  尚、図４においては、図２の場合と同様に、サッカーシューズ１の前後方向（指先の位置と踵部の位置との間の方向）、及び当該方向と交錯し得る略左右方向に沿った分布状態にてマーク２２が表示されている。
【手続補正６】
【補正対象書類名】明細書
【補正対象項目名】００３４
【補正方法】変更
【補正の内容】
【００３４】  このような実施例３の構成においては、ユーザーは各区分領域２１に基づく選択判断だけでなく、各マーク２２及びその近傍に基づく選択判断をも行うことが可能となり、極めて便利である。 尚、図４においては、図１と同様に、サッカーシューズ１の略前後方向（指先の位置と踵部の位置との間の方向）のライン及び当該ラインと交錯し得る略左右方向のラインによって区分領域２１が形成されると共に、図２と同様に、サッカーシューズ１の前後方向（指先の位置と踵部の位置との間の方向）、及び当該方向と交錯し得る略左右方向に沿った分布状態にてマーク２２が表示されている。
【手続補正７】
【補正対象書類名】図面
【補正対象項目名】全図
【補正方法】変更
【補正の内容】
【図１】
2009131289.tif 000008
【図２】
2009131289.tif 000009
【図３】
2009131289.tif 000010
【図４】
2009131289.tif 000011
【図５】
2009131289.tif 000012